(57)【特許請求の範囲】
【請求項１】
必要伸張長さ分の寸法を有する挟み材を介在させてテンション材を緩みのない無テンション状態に仮組し、しかる後、挟み材を除去し、テンション材を、挟み材の除去によって形成される隙間がなくなるまで引っ張ることを特徴とするテンション材の施工方法。
【発明の詳細な説明】
【０００１】
【発明の属する技術分野】
本発明は、テンション材の施工方法に関する。
【０００２】
【従来の技術及び課題】
建築分野をはじめとする各種技術分野において、線状鋼材などの部材を、これに所定の大きさのテンションを与えて施工しておく必要のある場合がある。
【０００３】
そのような場合のテンション材へのテンション入力方法として、従来より、図５（イ）に示すように、テンション材５１の両端にネジ５１ａ，５１ａを形成しておき、左右の連結板５３，５３にテンション材５１の両端を通し、連結板５３，５３の外側でテンション材５１の端部ネジ５１ａ，５１ａにナット５４，５４を螺合して締め付けていく方法がある。あるいはまた、図５（ロ）に示すように、テンション材５１の長手方向中間部にターンバックル５５を介設すると共に、テンション材５１の両端を連結部５３，５３と連結し、ターンバックル５５を回転させて締め付けていく方法もある。
【０００４】
例えばこれらのテンション入力方法において、テンション材５１に入力するテンションの大きさは、計算で求めた必要伸張長さ分をナット５４の回転やターンバックル５５の回転で引っ張っていくことにより行われているが、その長さ分だけ正確に引っ張るというのが実際の施工においてなかなか厄介であるという問題があった。
【０００５】
本発明は、上記のような従来の問題点に鑑み、テンション材をテンション入力に必要な長さ分だけ施工容易に引っ張ることのできるテンション材の施工方法を提供することを課題とする。
【０００６】
【課題を解決するための手段】
上記の課題は、必要伸張長さ分の寸法を有する挟み材を介在させてテンション材を緩みのない無テンション状態に仮組し、しかる後、挟み材を除去し、テンション材を、挟み材の除去によって形成される隙間がなくなるまで引っ張ることを特徴とするテンション材の施工方法によって解決される。
【０００７】
この方法では、挟み材の除去によって形成される隙間がなくなるまでテンション材を引っ張れば、テンション材は必要伸張長さ分だけ引っ張られた状態となるから、引張りの途中で、現在どの程度の長さ分引っ張ったかを意識することなく、隙間分を一気に引っ張っていけばよく、テンション材を必要伸張長さ分だけきわめて施工容易に引っ張ることができる。
【０００８】
【発明の実施の形態】
次に、本発明の実施形態を図面に基づいて説明する。
【０００９】
本実施形態では、図４（イ）に示すようなタイバー１や、図４（ロ）に示すようなブレース１などをテンション材とし、その施工方法を説明していく。
【００１０】
図１に示す第１実施形態は、図４（イ）（ロ）の丸鎖線部分を拡大して示すもので、テンション材１は、図１（イ）に示すように、端部に雄ネジ部１ａを有する鋼棒からなり、この雄ネジ部１ａがジョイントボックス２の第１壁２ａに通され、ジョイントボックス２内でこの雄ネジ部１ａに第１ナット３が螺合されている。また、このジョイントボックス２において、第１壁２ａと対峙する第２壁２ｂには、ボルト４が、その頭部をジョイントボックス２内に位置させるようにして通され、更に連結板５に通され、連結板５の向こう側において第２ナット６と螺合されている。
【００１１】
このジョイントボックス２と連結板５との間に挟み材としてのプレート７が入れられている。挟みプレート７は、テンション材に入力しようとするテンションの大きさから計算で求めたテンション材１の必要伸張長さ分の厚さ寸法を備えている。なお、挟みプレート７には、ジョイントボックス２と連結板５との間に側方より出し入れできるよう、図１（ロ）に示すように、側方に開放された切欠き部７ａが備えられている。ボルト４に螺合されている第２ナット６は、ジョイントボックス２と挟みプレート７との間、及び、挟みプレート７と連結板５との間に隙間を生じさせない程度に螺進させている。
【００１２】
そして、第１ナット３が螺進され、テンション材１は緩みのない無テンション状態に仮組されている。
【００１３】
この状態にした後、図１（ハ）に示すように、挟みプレート７を取り除き、そして、図１（ニ）に示すように、第２ナット６を、ジョイントボックス２と連結板５との間の隙間８がなくなるまで、締め付けていく。これにより、テンション材１は上記の必要伸張長さ分だけ引っ張られ、テンション材１に必要な大きさのテンションが入力される。
【００１４】
このように、上記のような施工方法によれば、挟みプレート７の除去によって形成される隙間８がなくなるまで第２ナット６を一気に締めていけばテンション材１は必要伸張長さ分だけ引っ張られ、引張りの途中で現在どの程度の長さ分引っ張ったかを意識する必要などなく、テンション材１に対する必要伸張長さ分だけの引張りを施工容易に行うことができる。
【００１５】
図２に示す第２実施形態では、図２（ロ）に示すように、テンション材が２本の溝形鋼１，１からなっており、これら溝形鋼１，１は、溝開口側を外向きにするようにしてジョイントティー９の脚板９ａを挟み、ボルトあるいは溶接等によってジョイントティー９に接合されている。そして、ジョイントティー９の肩板９ｂに、第１実施形態の場合と同様に、ボルト４が、図４（イ）に示すように、その頭部を肩板９ｂの内面側に位置させるようにして肩板９ｂに通され、更に、連結板５に通され、連結板５の向こう側でナット６と螺合されている。
【００１６】
このジョイントティー９と連結板５との間に、第１実施形態の場合と同様に、挟み材としてのプレート７が入れられている。挟みプレート７は、溝形鋼１，１に入力しようとするテンションの大きさから計算で求めた必要伸張長さ分の厚さ寸法を備え、ボルト４に螺合されているナット６は、図２（イ）に示すように、ジョイントティー９と挟みプレート７との間、及び、挟みプレート７と連結板５との間に隙間を生じさせない程度に螺進されている。そして、溝形鋼１，１は緩みのない無テンション状態に仮組されている。
【００１７】
この状態にした後、図２（ロ）に示すように、挟みプレート７を取り除き、そして、図２（ニ）に示すように、ナット６を、ジョイントボックス２と連結板５との間の隙間８がなくなるまで、一気に締め付けていく。これにより、各溝形鋼１，１は、上記の必要伸張長さ分だけ引っ張られ、必要な大きさのテンションが入力され、溝形鋼１，１に対する必要伸張長さ分だけの引張りを、上記の場合と同様に施工容易に行うことができる。
【００１８】
図３に示す第３実施形態では、図３（ロ）に示すように、テンション材が１本のＨ形鋼１からなっており、Ｈ形鋼１の端部にはエンドプレート１０が溶接等で取り付けられている。そして、図３（イ）に示すように、エンドプレート１０に、第１，２実施形態の場合と同様に、ボルト４が、その頭部をエンドプレート１０の内面側に位置させるようにして肩板９ｂに通され、更に、連結板５に通され、連結板５の向こう側でナット６と螺合されている。
【００１９】
このエンドプレート１０と連結板５との間に、第１，２実施形態の場合と同様に、挟み材としてのプレート７が入れられている。挟みプレート７は、Ｈ形鋼１に入力しようとするテンションの大きさから計算で求めた必要伸張長さ分の厚さ寸法を備え、ボルト４に螺合されているナット６は、図３（イ）に示すように、エンドプレート１０と挟みプレート７との間、及び、挟みプレート７と連結板５との間に隙間を生じさせない程度に螺進されている。そして、Ｈ形鋼１は緩みのない無テンション状態に仮組されている。
【００２０】
この状態にした後、図３（ロ）に示すように、挟みプレート７を取り除き、そして、図３（ニ）に示すように、ナット６を、ジョイントボックス２と連結板５との間の隙間８がなくなるまで、一気に締め付けていく。これにより、各Ｈ形鋼１は、上記の必要伸張長さ分だけ引っ張られ、必要な大きさのテンションが入力され、Ｈ形鋼１に対する必要伸張長さ分だけの引張りを、上記の場合と同様に施工容易に行うことができる。
【００２１】
以上に、本発明の実施形態を示したが、本発明はこれに限られるものではなく、発明思想を逸脱しない範囲で、各種の変更が可能である。例えば、上記の実施形態では、テンション材として、鋼棒や、溝形鋼、Ｈ形鋼などを用いた場合を示しているが、その材質や形状、本数等に特段の制限はなく、各種テンション材のテンション入力に用いられてよい。また、テンション材の引張りは、ネジに限らず、各種方法で行われてよい。
【００２２】
【発明の効果】
本発明は、以上のとおりのものであるから、テンション材をテンション入力に必要な長さ分だけ施工容易に引っ張ることのできる。
【図面の簡単な説明】
【図１】第１実施形態の施工方法を示すもみので、図（イ）、図（ハ）及び図（ニ）は施工方法を順次に示す要部正面図、図（ロ）は挟みプレートの斜視図である。
【図２】第２実施形態の施工方法を示すもので、図（イ）、図（ロ）及び図（ニ）は施工方法を順次に示す要部正面図、図（ハ）は図（ロ）のＩ−Ｉ線断面矢視図である。
【図３】第３実施形態の施工方法を示すもので、図（イ）、図（ロ）及び図（ニ）は施工方法を順次に示す要部正面図、図（ハ）は図（ロ）のＩＩ−ＩＩ線断面矢視図である。
【図４】図（イ）（ロ）はそれぞれ、テンション材の適用例を示す正面図である。
【図５】図（イ）（ロ）はそれぞれ、従来の施工方法を示す正面図である。
【符号の説明】
１…テンション材（鋼棒、溝形鋼、Ｈ形鋼）
７…挟みプレート（挟み材）
８…隙間
【図１】
0004286463.tif 000002
【図２】
0004286463.tif 000003
【図３】
0004286463.tif 000004
【図４】
0004286463.tif 000005
【図５】
0004286463.tif 000006